(57)【要約】【課題】トイレットペーパの種類にかかわらず、トイレットペーパを確実に繰り出すことができる繰り出し機構を有するトイレットペーパホルダを提供する。【解決手段】トイレットペーパホルダ１Ａは、トイレットペーパ２を回転可能に支持するホルダ本体３と、ペーパ２の上方に位置する旋回カバー４と、カバー４の前端部４１をペーパ２に向かって押し付ける付勢機構５と、ペーパ２を回転させてペーパ２の先端を繰り出す繰り出しローラ６と、付勢機構５による付勢力を調節可能な付勢力調節機構７とから形成されている。このホルダ１Ａでは、繰り出しローラ６を回転させると、繰り出しローラ６の下側部６２とトイレットペーパ２の外周面との摩擦力により、ペーパ２が繰り出しローラ６の回転方向と逆方向へ回転し、ペーパ２の先端が下方へ順次繰り出す。【選択図】図３
2008253742.tif 000002
【特許請求の範囲】
【請求項１】
ロール状のトイレットペーパを回転可能に支持するホルダ本体と、前記ホルダ本体に支持されたトイレットペーパの上方に位置し、該トイレットペーパの中心軸に対して直交する方向へ延びる旋回カバーと、前記旋回カバーに形成されて前記トイレットペーパを回転させつつ該トイレットペーパの先端を繰り出す繰り出し機構とを備え、前記旋回カバーが、前記ホルダ本体に回転可能に支持された後端部と、前記後端部の反対側に位置して前記トイレットペーパの外周面に当接する前端部とを有し、前記旋回カバーの前端部が、前記後端部を中心として上下方向へ旋回可能なトイレットペーパホルダにおいて、
前記トイレットペーパホルダには、前記旋回カバーの前端部を前記トイレットペーパの外周面に押し付ける方向へ付勢する付勢機構と、前記付勢機構による付勢力を調節する付勢力調節機構とが設けられていることを特徴とするトイレットペーパホルダ。
【請求項２】
前記繰り出し機構が、前記旋回カバーに回転可能に支持されるとともに前記トイレットペーパの軸方向へ延びていて該トイレットペーパの外周面に当接する繰り出しローラであり、前記トイレットペーパホルダでは、前記繰り出しローラを回転させることによって前記トイレットペーパが回転する請求項１記載のトイレットペーパホルダ。
【請求項３】
前記繰り出しローラが、前記トイレットペーパから離間する方向と該トイレットペーパに当接する方向とへ所定距離移動可能である請求項２記載のトイレットペーパホルダ。
【請求項４】
前記旋回カバーの前端部には、前記トイレットペーパの軸方向へ延びていて該トイレットペーパの外周面に当接する低摩擦抵抗の凸部と、前記凸部の前縁に隣接して前記トイレットペーパをその軸方向へ切断する切断刃とが設けられ、前記トイレットペーパホルダでは、前記前端部において前記凸部のみが前記トイレットペーパの外周面に当接し、前記凸部を除く前端部の残余の部位が前記トイレットペーパの外周面から離間している請求項１ないし請求項３いずれかに記載のトイレットペーパホルダ。
【請求項５】
前記付勢機構は、一端が前記旋回カバーの後端部の回転軸となる回転支持部に連結されるレバーと、前記レバーを回転させる方向に付勢するバネ部材とから形成され、前記トイレットペーパホルダでは、前記バネ部材の一端を前記レバーの自由端部に係止し、前記バネ部材の他端を前記ホルダ本体に設けられたバネ受け部に係止する請求項１ないし請求項４いずれかに記載のトイレットペーパホルダ。
【請求項６】
前記付勢力調節機構では、前記レバーと前記バネ受け部とのうちの少なくともいずれか一方においてバネ部材の係止位置を変更可能であり、前記バネ部材の係止位置を変更することによって該バネ部材の付勢力を調節可能である請求項５記載のトイレットペーパホルダ。
【請求項７】
前記ホルダ本体が、前記トイレットペーパの横方向両端を挟む一対の側板部と、前記トイレットペーパの後方に位置してそれら側板部を連結する連結板部とから形成され、前記付勢機構と前記付勢力調節機構とが、それら側板部それぞれに形成されている請求項１ないし請求項６いずれかに記載のトイレットペーパホルダ。
【発明の詳細な説明】
【技術分野】
【０００１】
本発明は、トイレットペーパホルダに関し、特に、旋回カバーにトイレットペーパを繰り出す繰り出し機構が設けられたトイレットペーパホルダに関する。
【背景技術】
【０００２】
従来のこの種のトイレットペーパホルダとしては、たとえば、特許文献１に記載のホルダが知られている。前記特許文献１に開示のトイレットペーパホルダは、ロール状のトイレットペーパを回転可能に支持するホルダ本体と、ホルダ本体に回転可能に支持された後端部を中心に上下方向へ旋回可能であり、旋回端である前端部がトイレットペーパの外周面に当接する旋回カバーとを備えている。旋回カバーには、トイレットペーパを回転させてトイレットペーパの先端部分を繰り出す繰り出し機構が設けられている。
【０００３】
トイレットペーパホルダでは、トイレットペーパがホルダ本体に回転可能に支持される。しかし、トイレットペーパの巻き芯にガイドとなる軸部が遊嵌状態で差し込まれているだけであるから、トイレットペーパはその中心軸を中心に外周面が正確に回転するのでなく、上下方向や前後方向へ不規則に動きながら（がたつきながら）回転する。そのため、旋回カバーの前端部が当接しているだけでは、繰り出し機構を操作してトイレットペーパを回転させた際に、旋回カバーが遊動して（ばたついて）操作しづらい。そこで、前記特許文献１に開示のトイレットペーパホルダでは、繰り出し機構をトイレットペーパの外周面に押し付ける方向へばね付勢する付勢機構を設け、繰り出し機構とともに旋回カバーをトイレットペーパに押し付けることで、旋回カバーの遊動を防止している。
【特許文献１】特開２００５−４０５６１号公報
【発明の開示】
【発明が解決しようとする課題】
【０００４】
前記特許文献１に開示のトイレットペーパホルダの場合、付勢機構によって旋回カバーの遊動が防止される。しかし、トイレットペーパには、薄手のシングルロール、２枚重ねの厚手のダブルロール、さらに、再生紙を用いた高剛性のもの、バージンパルプを用いた軟らかいもの等、種々の種類があり、たとえば、付勢力を厚手のダブルロールに合わせると、シングルロールでは付勢力が強すぎて旋回カバーの前端部や繰り出し機構がトイレットペーパの外周面に食い込み、繰り出し機構による繰り出しをスムースに行うことができない場合がある。逆に、付勢力を薄手のシングルロールに合わせると、ダブルロールでは付勢力が弱すぎて繰り出し機構がトイレットペーパの外周面ですべって繰り出しができない場合がある。
【０００５】
本発明は、前記従来技術の問題を解決するためになされたもので、その目的とするところは、トイレットペーパの種類にかかわらず、トイレットペーパを確実かつスムースに繰り出すことができる繰り出し機構を有するトイレットペーパホルダを提供することにある。
【課題を解決するための手段】
【０００６】
前記課題を解決するための本発明の前提は、ロール状のトイレットペーパを回転可能に支持するホルダ本体と、ホルダ本体に支持されたトイレットペーパの上方に位置し、該トイレットペーパの中心軸に対して直交する方向へ延びる旋回カバーと、旋回カバーに形成されてトイレットペーパを回転させつつ該トイレットペーパの先端を繰り出す繰り出し機構とを備え、旋回カバーが、ホルダ本体に回転可能に支持された後端部と、後端部の反対側に位置してトイレットペーパの外周面に当接する前端部とを有し、旋回カバーの前端部が、後端部を中心として上下方向へ旋回可能なトイレットペーパホルダである。
【０００７】
前記前提における本発明の特徴として、トイレットペーパホルダには、旋回カバーの前端部をトイレットペーパの外周面に押し付ける方向へ付勢する付勢機構と、付勢機構による付勢力を調節する付勢力調節機構とが設けられていることにある。
【０００８】
本発明の一例としては、繰り出し機構が、旋回カバーに回転可能に支持されるとともにトイレットペーパの軸方向へ延びていて該トイレットペーパの外周面に当接する繰り出しローラであり、このトイレットペーパホルダでは、繰り出しローラを回転させることによってトイレットペーパが回転する。
【０００９】
本発明の他の一例としては、繰り出しローラがトイレットペーパから離間する方向とトイレットペーパに当接する方向とへ所定距離移動可能である。
【００１０】
本発明の他の一例として、旋回カバーの前端部には、トイレットペーパの軸方向へ延びていて該トイレットペーパの外周面に当接する低摩擦抵抗の凸部と、凸部の前縁に隣接してトイレットペーパをその軸方向へ切断する切断刃とが設けられ、このトイレットペーパホルダでは、前端部において凸部のみがトイレットペーパの外周面に当接し、凸部を除く前端部の残余の部位がトイレットペーパの外周面から離間している。
【００１１】
本発明の他の一例として、付勢機構は、一端が旋回カバーの後端部の回転軸となる回転支持部に連結されるレバーと、レバーを回転させる方向に付勢するバネ部材とから形成され、このトイレットペーパホルダでは、バネ部材の一端をレバーの自由端部に係止し、バネ部材の他端をホルダ本体に設けられたバネ受け部に係止する。
【００１２】
本発明の他の一例として、付勢力調節機構では、レバーとバネ受け部とのうちの少なくともいずれか一方においてバネ部材の係止位置を変更可能であり、このトイレットペーパホルダでは、バネ部材の係止位置を変更することによって該バネ部材の付勢力を調節可能である。
【００１３】
本発明の他の一例としては、ホルダ本体が、トイレットペーパの横方向両端を挟む一対の側板部と、トイレットペーパの後方に位置してそれら側板部を連結する連結板部とから形成され、このトイレットペーパホルダでは、付勢機構と付勢力調節機構とがそれら側板部それぞれに形成されている。
【発明の効果】
【００１４】
本発明にかかるトイレットペーパホルダによれば、旋回カバーの前端部をトイレットペーパの外周面に押し付ける方向へ付勢する付勢機構と、その付勢機構による付勢力を調節する付勢力調節機構とが設けられているから、トイレットペーパの種類に応じてカバーの付勢力を適切な付勢力に調節することができ、トイレットペーパの種類にかかわらず、繰り出し機構を介して各種トイレットペーパを確実に繰り出すことができる。このトイレットペーパホルダは、付勢機構によって旋回カバーの遊動が防止されるから、トイレットペーパの繰り出し操作を容易に行うことができる。
【００１５】
繰り出し機構が旋回カバーに回転可能に支持されてトイレットペーパの外周面に当接する繰り出しローラであり、繰り出しローラを回転させることによってトイレットペーパが回転するトイレットペーパホルダは、付勢機構を介してトイレットペーパの外周面に対する繰り出しローラの当接状態を維持することができ、トイレットペーパの種類にかかわらず、繰り出しローラを介してトイレットペーパを確実かつスムースに繰り出すことができる。このトイレットペーパホルダは、付勢機構によって旋回カバーの前端部がトイレットペーパの外周面に押し付けられるとともに、繰り出しローラがトイレットペーパの外周面に押し付けられるから、繰り出しローラがトイレットペーパの外周面から上方へ離間することはない。ゆえに、一方の手で旋回カバーをトイレットペーパに向かって旋回させつつ、他方の手で繰り出しローラを回転させる必要はなく、片手でローラを回転させるだけでトイレットペーパを繰り出すことができ、片手のみでトイレットペーパの繰り出し操作を行うことができる。
【００１６】
繰り出しローラがトイレットペーパから離間する方向とトイレットペーパに当接する方向とへ所定距離移動可能であるトイレットペーパホルダは、トイレットペーパが上下方向や前後方向へ不規則に動きながら（がたつきながら）回転したとしても、繰り出しローラの両端が移動することでトイレットペーパとの片当たりが防止され、トイレットペーパの外周面に対する繰り出しローラの全長にわたる均一な当接状態を維持することができる。なお、トイレットペーパを使用するにつれて、トイレットペーパの巻き径が小さくなるが、巻き径が小さくなるにつれて旋回カバーの前端部が旋回カバーの後端部を中心とする円弧状の移動軌跡を描いて下方に移動する。繰り出しローラも、旋回カバーの後端部を中心として円弧状に移動するが、旋回カバーの前端部よりも回転半径が小さいから、旋回カバーの前端部より移動距離が短い。そのため、巻き径が大きい状態で、旋回カバーの前端部と繰り出しローラとの双方がトイレットペーパの外周面に当接していても、トイレットペーパの巻き径が小さくなると、旋回カバーの前端部のみがトイレットペーパに当接し、繰り出しローラとトイレットペーパとの間に隙間が生じてしまう。しかし、このトイレットペーパホルダでは、繰り出しローラがトイレットペーパから離間する方向からトイレットペーパに当接する方向へ向かって所定距離移動可能であるから、トイレットペーパの巻き径が小さくなったとしても、繰り出しローラがトイレットペーパの側に移動し、トイレットペーパの外周面に対するローラの当接状態を確実に維持することができる。
【００１７】
トイレットペーパの外周面に当接する低摩擦抵抗の凸部とトイレットペーパをその軸方向へ切断する切断刃とが旋回カバーの前端部に設けられたトイレットペーパホルダは、トイレットペーパの使用によってその巻き径が変化したとしても、トイレットペーパの外周面に当接する凸部により、トイレットペーパの外周面と切断刃との間に形成される隙間を常時一定に保持することができ、切断刃を介してトイレットペーパをその軸方向へ確実に切断することができるとともに、片手のみでトイレットペーパの切断操作を行うことができる。このトイレットペーパホルダは、凸部の摩擦抵抗が低いから、凸部にトイレットペーパの外周面が当接したとしても、凸部がトイレットペーパの繰り出しの邪魔になることはなく、繰り出しローラを介してトイレットペーパをスムースに繰り出すことができる。
このトイレットペーパホルダは、旋回カバーの前端部において凸部のみがトイレットペーパの外周面に当接し、凸部を除く前端部の残余の部位がトイレットペーパの外周面から離間するから、旋回カバーとトイレットペーパとの接触部分を最小限にすることができ、トイレットペーパの衛生状態を保持することができる。
【００１８】
付勢機構が旋回カバーの後端部の回転軸となる回転支持部に連結されるレバーとレバーを回転させる方向に付勢するバネ部材とから形成されたトイレットペーパホルダは、付勢機構がそれを形成するレバーを介して旋回カバーの回転支持部に回転トルクを付与する構成となっているから、付勢機構をコンパクトにできるのみならず、付勢機構を介してトイレットペーパに対する繰り出しローラの当接状態を確実に維持することができる。
【００１９】
レバーとバネ受け部とのうちの少なくともいずれか一方においてバネ部材の係止位置を変更可能であり、バネ部材の係止位置を変更することによってバネ部材の付勢力を調節可能なトイレットペーパホルダは、ばね部材の端部の係止位置を変更するだけで、付勢機構の付勢力を簡単に調節することができる。このトイレットペーパホルダは、ばね部材の端部の係止位置を変更することで、付勢機構の付勢力の強弱を調節することができるから、トイレットペーパの種類に応じて旋回カバーの付勢力を適切な付勢力に調節することができる。このトイレットペーパホルダは、トイレットペーパの種類に応じてカバーの付勢力を適切な付勢力に調節することができ、トイレットペーパの種類にかかわらず、繰り出し機構を介して各種トイレットペーパを確実に繰り出すことができる。
【００２０】
付勢機構と付勢力調節機構とが両側板部に形成されたトイレットペーパホルダは、旋回カバーの両側に付勢機構による付勢力が作用するから、旋回カバーの前端部をトイレットペーパの外周面に向かって付勢する力が旋回カバーの全体に均一に作用し、付勢力の偏りが防止され、旋回カバーの前端部の全域を同一の付勢力でトイレットペーパの外周面に押し付けることができ、トイレットペーパの繰り出し中における旋回カバーの不規則な遊動を確実に防ぐことができる。
【発明を実施するための最良の形態】
【００２１】
添付の図面を参照し、本発明に係るトイレットペーパホルダの詳細を説明すると、以下のとおりである。図１は、旋回カバー４をトイレットペーパ２に向かって旋回させた状態で示すトイレットペーパホルダ１Ａの斜視図であり、図２は、旋回カバー４を上方へ旋回させた状態で示すトイレットペーパホルダ１Ａの斜視図である。図３，４は、側板カバー３３ａの一部を破断して示すトイレットペーパホルダ１Ａの側面図である。図５は、図１のトイレットペーパホルダ１Ａの旋回カバー４を取り出して示した側面図であり、図６は、巻き径が小さくなった場合の旋回カバー４の凸部４１２と繰り出しローラ６との位置関係を示す説明図である。図１では、上下方向を矢印Ｄ１、前後方向を矢印Ｄ２で示し、横方向を矢印Ｄ３で示す。図３では、旋回カバー４を閉じた状態で示し、図４では、旋回カバー４を開いた状態で示す。このトイレットペーパホルダ１Ａは、ロール状のトイレットペーパ２を回転可能に支持するホルダ本体３と、トイレットペーパ２の中心軸Ｎの軸方向（横方向）に対して直交する方向（前後方向）へ延びる旋回カバー４と、旋回カバー４をトイレットペーパ２の外周面に押し付ける方向へバネ付勢する付勢機構５と、トイレットペーパ２を回転させてトイレットペーパ２の先端を繰り出す繰り出しローラ６（繰り出し機構）と、付勢機構５による付勢力を調節する付勢力調節機構７とから形成されている。
【００２２】
トイレットペーパ２は、ロール状に巻いた形態であり、巻き芯となる筒があるもの、巻き芯の無いもののいずれでもよい。なお、トイレットペーパ２に特に限定はなく、ペーパが一枚の薄手のシングルロール、ペーパを２枚重ねた厚手のダブルロール、さらに、ペーパとして再生紙を用いた高剛性のもの、バージンパルプから作られた軟らかいペーパを用いたもの等を使用することができる。
【００２３】
ホルダ本体３は、図１，２に示すように、トイレットペーパ２を三方向から囲む断面コ字形のフレームである。ホルダ本体３は、トイレットペーパ２の横方向両端を挟む一対の側板部３２，３３と、側板部３２，３３を連結する連結板部３１とから形成されている。連結板部３１は、トイレットペーパ２の後方に位置して上下方向へ延びている。側板部３２，３３は、連結板部３１の横方向両端から前方に向かって延びている。側板部３２，３３には、図３に示すように、トイレットペーパ２の巻き芯２１の両端開口部に遊嵌状態に嵌合してトイレットペーパ２を回転可能に支持する一対の嵌合凸部３４が取り付けられている。嵌合凸部３４は、側板部３２，３３の横方向内方と横方向外方とへ進退可能であり、横方向内方へ向かってバネ付勢されている。ホルダ本体３では、トイレットペーパ２を片手で持ってそのトイレットペーパ２を側板部３２，３３の間に位置させるように、トイレットペーパ２をホルダ本体３の下方から上方へ徐々に移動させる。トイレットペーパ２を上方へ徐々に移動させると、トイレットペーパ２に当接する嵌合凸部３４がバネ付勢に抗して横方向外方へ移動して側板部３２，３３に収納される。そのままトイレットペーパ２をさらに上方へ移動させ、巻き芯２１の両端開口部が嵌合凸部３４の位置に来ると、嵌合凸部３４がバネの付勢力によって横方向内方へ突出し、凸部３４が巻き芯２１の両端開口部に嵌合する。ゆえに、このトイレットペーパホルダ１Ａは、ホルダ本体３にトイレットペーパ２を片手でワンタッチ装着することができる。なお、トイレットペーパ２を支持する構成としては、このような構成に限らず、公知の種々の支持構造が適用可能であり、たとえば、嵌合凸部３４の替わりに巻き芯２１の両端開口部に挿通される芯棒を用いることもできる。
【００２４】
旋回カバー４は、トイレットペーパ２の上方に位置して前後方向へ直状に延びる板状部材であり、ホルダ本体３に支持されている。旋回カバー４は、ホルダ本体３に回転可能に支持された後端部４２と、後端部４２の反対側に位置する前端部４１とを有する。前端部４１は、トイレットペーパ２の頂部２２を越え、トイレットペーパ２の上部前方円弧面部２３との対向位置まで延びている。前端部４１は、トイレットペーパ２の上部前方円弧面部２３に向けて、下向きに傾斜するように屈曲している。旋回カバー４は、その後端部４２を中心として上下方向へ旋回可能である。旋回カバー４の後端部４２の横方向両側縁には、側板部３２，３３の後部上端部内側面と接するように下方に突出するブラケット４４Ａ，４４Ｂが設けられている。一方のブラケット４４Ａには、回転支持部としての枢支軸４３Ａが突設され、側板部３２に設けられた軸孔に回転自在に支持されている。他方のブラケット４４Ｂにも枢支軸４３Ｂが突設され、この枢支軸４３Ｂが筒体５１１を介して側板部３３に回転自在に支持されている。
【００２５】
また、旋回カバー４の横方向両側縁には、ブラケット４４から前方に向けて直状に延びる補強リブ４６が形成されている。補強リブ４６の突出幅は、ブラケット４４との接続位置でブラケット４４の突出幅の半分程度である。補強リブ４６は、前方に向かって徐々に突出幅が小さくなるように傾斜している。旋回カバー４の前端部４１のトイレットペーパ２と対向する内面側には、トイレットペーパ２に摺動可能に接触する低摩擦抵抗の凸部４１２が形成されている。この凸部４１２は、その下面が円弧状で、旋回カバー４の前端部４１の全長にわたって横方向へ直状に延びており、トイレットペーパ２の上部前方円弧面部２３に対して直状に接触している。さらに、旋回カバー４の前端部４１のトイレットペーパ２と対向する内面側には、凸部４１２の前縁に隣接してトイレットペーパ２を切断する切断刃４１１が取り付けられている。旋回カバー４の後端部４２の回転中心の位置は、未使用で巻径が最大状態のトイレットペーパ２の頂部２２よりも若干下に位置している。同様に、旋回カバー４の前端部４１の凸部４１２のペーパ当接位置は、トイレットペーパ２の頂部２２よりも下方に位置している。このトイレットペーパホルダ１Ａでは、旋回カバー４の前端部４１において凸部４１２のみがトイレットペーパ２の外周面に当接し、凸部４１２を除く前端部４１の残余の部位がトイレットペーパ２の外周面から離間する。ゆえに、旋回カバー４とトイレットペーパ２との接触部分が最小となり、トイレットペーパ２の衛生状態が保持される。
【００２６】
付勢機構５は、一方の側板部３３の側に形成されている。付勢機構５は、旋回カバー４の枢支軸４３Ｂに連結されるレバー５１と、レバー５１を回転させる方向に付勢するバネ部材５２とから形成されている。なお、側板部３３には、付勢機構５を隠す側板カバー３３ａが取り付けられる。レバー５１は、側板部３３の上端部後方に位置し、枢支軸４３Ｂに嵌合された筒体５１１を介してカバー４のブラケットに連結されている。すなわち、筒体５１１の一端がブラケット４４Ｂに設けられた非円形の凹部４４Ｂ１に回転方向に固定状態で嵌合し（図５参照）、筒体５１１の他端にレバー５１が結合されている。レバー５１は、図３に示すように、カバー４が閉じた状態で、後方に斜め下向きとなるように延びており、カバー４を上方に開くと前方に回転し、カバー４を閉じると後方に回転するようになっている。バネ部材５２は、ねじりコイルスプリングであり、螺旋状に巻いた円形のコイル部５２３と、コイル部５２３の両端から所定角度で直状に延びる第１腕部５２１および第２腕部５２２とを備えた形状である。バネ部材５２は、第１腕部５２１の端部がレバー５１の自由端部に係止され、第２腕部５２２の先端が側壁部３３に設けられたバネ受け部５３に係止している。
【００２７】
バネ受け部５３は、側板部３３の中央部上方に形成され、レバー５１の回動範囲の中間に位置している。この付勢機構５では、回転中心である枢支軸４３Ｂとバネ受け部５３とを結ぶ中立線Ｍ上を通る地点が思案点となり、思案点を越えるまではカバー４を閉じる方向に付勢力Ｆｃが作用し、思案点を超えると、図４に示すように、カバー４を開く方向に付勢力Ｆｏが作用する。
【００２８】
バネ部材５２の第１腕部５２１が係止されるレバー５１の自由端部には、第１腕部５２１の端部が係止される一つの係止部７ｚが形成されている。一方、バネ部材５２の第２腕部５２２が係止するバネ受け部５３には、付勢力調節機構７を構成する複数の係止部、図示例では５箇所の係止部７ａ，７ｂ，７ｃ，７ｄ，７ｅが形成されている。係止部７ａ〜７ｅは、枢支軸４３Ｂの中心を通る中立線Ｍ上に、所定間隔をあけて直状かつ１列に配置されている。係止部７ａ〜７ｅは、バネ部材５２の第１腕部５２１と第２腕部５２２との間の間隔を段階的に調節可能である。なお、図示の例では、係止部７ａ〜７ｅや係止部７ｚが穴構成となっているが、穴に限らず、バネ部材５２の端部を係止可能な構成であれば、溝でもよいし、その他種々の構成を採用することができる。また、係止部７ａ〜７ｅの個数に特に限定はなく、少なくとも２つ以上の係止部が形成されていればよい。
【００２９】
付勢力調節機構７では、バネ部材５２の第２腕部５２２の係止位置を変更することにより、バネ部材５２のねじり変形量が変化し、レバー５１に作用するバネ力（反発力）が調節される。枢支軸４３Ｂに最も近い位置の係止部７ａに係止した場合にバネ力が最大となり、係止部７ａから遠くなるに連れて徐々にバネ力が小さくなる。バネ部材５２のバネ力によって旋回カバー４の前端部４１に作用する付勢力が異なる。なお、付勢力は、旋回カバー４の前端部４１に作用する押圧力であり、３５０ｇｆを中心に、１００〜６００ｇｆ程度の大きさに設定することが好適である。図示の例では、バネ受け部５３に複数の係止部７ａ〜７ｅを設けているが、レバー５１の側に複数の係止部を設けてバネ力を調節するようにしてもよく、レバー５１とバネ受け部５３との両方に複数の係止部を設けてバネ力を調節するようにしてもよい。
【００３０】
繰り出しローラ６は、旋回カバー４の前端部４１からわずか後方の位置に取り付けられている。繰り出しローラ６は、旋回カバー４に回転可能に支持され、トイレットペーパ２の軸方向（横方向）へ延びている。繰り出しローラ６は、その周面がトイレットペーパ２の外周面に当接している。このトイレットペーパホルダ１Ａでは、繰り出しローラ６を図１に示す矢印Ｌ１方向へ回転させることによってトイレットペーパ２が回転し、トイレットペーパ２の先端を繰り出すことができる。繰り出しローラ６は、円筒形状のゴムローラであり、表面に摩擦力を増大させるための複数の突起６５が突設されている。繰り出しローラ６の横方向両端には、ローラ軸６３が突出している。ローラ軸６３は、旋回カバー４の上面に突設されたブラケット４７に回転可能に支持されている。繰り出しローラ６は、旋回カバー４に設けられた開口部４５を通して上側部分６１がカバー４の上面側に露出し、下側部分６２がカバー４の下面側に露出し、下側部分６２がトイレットペーパ２の外周面に摩擦接触する構成となっている。
【００３１】
ブラケット４７は、旋回カバー４の開口部４５の横方向両側に半円状に突出形成されている。ブラケット４７の開口部４５に面する側面には、トイレットペーパ２に当接かつ離間する方向、図示の例では上下方向に延びる長孔４７ａが形成されている。長孔４７ａには、繰り出しローラ６のローラ軸６１が回転可能かつ上下方向（トイレットペーパ２から離間する方向およびトイレットペーパ２に当接する方向）へ所定距離移動可能に係合している。ゆえに、繰り出しローラ６は、トイレットペーパ２から離間する方向とトイレットペーパ２に当接する方向とへ長孔４７ａの長さだけ移動することができる。なお、長孔４７ａの下端は、止め板４８によって閉塞されている。
【００３２】
次に、このトイレットペーパホルダ１Ａの使用方法について説明する。旋回カバー４の付勢力の調節は、トイレットペーパホルダ１を設置する際、あるいは設置した後、使用者が使うトイレットペーパ２の種類に応じて調節する。付勢力の調節は、一方の側板部３３の側板カバー３３ａを外し、図３に示すように、バネ部材５２の第１腕部５２１を、バネ受け部５３の係止部７ａ〜７ｅのうち、所定の係止部を選択することにより行う。図示の例では、中間位置の係止部７ｃに係止され、バネ部材５２のバネ力が中間的なバネ力に調整されている。ゆえに、旋回カバー４の付勢力が中間的な付勢力に調節されている。付勢力の調節が済んだ後は、側板部３３に側板カバー３３ａを取り付ける。
【００３３】
トイレットペーパホルダ１Ａでは、図４に示すように、旋回カバー４を上方へ開き、トイレットペーパ２を側板部３２，３３の間に装着する。旋回カバー４を開いていくと、レバー５１が思案点Ｐを超え、バネ力Ｆoの作用方向が上方（図中時計回り方向）となり、カバー２から手を離してもバネ部材５２の付勢力によって開いた状態に維持される。
【００３４】
旋回カバー２を閉じると、レバー５１が思案点Ｐを越え、バネ力Ｆｃの作用方向が下方（図中反時計回り方向）に切り替わり、カバー４に下方向の付勢力が作用する。旋回カバー２の前端部４１の凸部４１２がトイレットペーパ２の外周面に当接する前に、繰り出しローラ６の下側部６２がトイレットペーパ２の外周面に先に当接する。繰り出しローラ６の下側部６２がトイレットペーパ２に当接した後、旋回カバー４の凸部４１２がトイレットペーパ２の外周面に当接するまでの間、ローラ軸６３がカバー４のブラケット４３に設けられた長孔４７ａ内を相対的に上方に移動する。図示の例では、トイレットペーパ２の巻き径が最大の状態であって、凸部４１２がトイレットペーパ２の外周面に当接した時点で、繰り出しローラ６のローラ軸６１が長孔４７ａの上端縁に達するような位置関係に設定されている。
【００３５】
凸部４１２がトイレットペーパ２の外周面に当接する前に、繰り出しローラ６のローラ軸６１が長孔４７ａの上端縁に当たると、凸部４１２とトイレットペーパ２の外周面との間に隙間が生じることになる。逆に、凸部４１２がトイレットペーパ２の外周面に圧接した時点で、ローラ軸６３が長孔４７ａの上端縁に達していない場合は、繰り出しローラ６の自重のみがトイレットペーパ２の外周面に対するローラ６の接触圧となる。もっとも、ローラ軸６１と長孔４７ａとの位置関係は厳密なものではなく、トイレットペーパ２は軟かいので、トイレットペーパ２の変形によって凸部４１２と繰り出しローラ６との当接位置の多少のずれは吸収される。
【００３６】
トイレットペーパ２の使用時には、繰り出しローラ６の上側部６１に片手をおいて繰り出しローラ６を回転させる。繰り出しローラ６を回転させると、繰り出しローラ６の下側部６２とトイレットペーパ２の外周面との摩擦力により、トイレットペーパ２が繰り出しローラ６の回転方向と逆方向へ回転し、トイレットペーパ２の先端が下方へ順次繰り出す。仮に、旋回カバー４の回転軸が傾いたり、トイレットペーパ２が不規則に動きながら（がたつきながら）回転したとしても、繰り出しローラ６の横方向両端が上下に移動するから、ローラ６のトイレットペーパ２との片当たりが防止され、トイレットペーパ２の外周面に対する繰り出しローラ６の全長にわたる均一な当接状態を維持することができる。繰り出されたペーパ部分は、下方に垂れ下がり、切断刃４１１を利用して適当な長さで切断する。
【００３７】
旋回カバー４は、その前端部４１がバネ部材５２のバネ力によってトイレットペーパ２の外周面に向かって付勢されているから、カバー４の凸部４１２によってトイレットペーパ２が押さえられた状態で回転するとともに、カバー４が不規則に動く（ばたつく）ことはない。したがって、旋回カバー４に支持された繰り出しローラ６についても、スムースに回転させることができ、トイレットペーパ２の繰り出し操作を片手でスムースに行うことができる。このトイレットペーパホルダ１では、トイレットペーパ２の種類に応じてバネ部材５２のバネ力を調節することができるから、シングルロールのような薄手のトイレットペーパ２の場合、繰り出しローラ６がトイレットペーパ２を弱い力で押圧するようにバネ部材５２のバネ力を弱め、旋回カバー４の付勢力を弱める。それによって、繰り出し中のトイレットペーパ２にしわが生じることはなく、繰り出し中のトイレットペーパ２の不用意な破損を防ぐことができる。また、厚めのトイレットペーパ２や剛性が大きいトイレットペーパ２の場合には、繰り出しローラ６がトイレットペーパ２を強い力で押圧するようにバネ部材５２のバネ力を強め、旋回カバー４の付勢力を強める。それによって、繰り出しローラ６の空回りを防ぐことができ、トイレットペーパ２をスムースに繰り出すことができる。
【００３８】
トイレットペーパ２を使用するにつれて、トイレットペーパ２の巻き径が小さくなるが、巻き径の収縮量に追随して凸部４１２が下方に移動する。一方、繰り出しローラ６も巻き径の収縮量に追随して下方に移動していく。凸部４１２と繰り出しローラ６との移動軌跡は、図６に示すように、カバー後端部４２の回転中心Ｑを中心とする円弧状の軌跡となるが、繰り出しローラ６の当接位置の回転軌跡６Ａの半径ｒ２が凸部４１２の回転軌跡の半径ｒ１より小さいので、繰り出しローラ６の移動量は凸部４１２の移動量よりも小さい。したがって、繰り出しローラ６のローラ軸６３が上下方向に移動不能であれば、図６の二点鎖線で示すように、繰り出しローラ６と小径のトイレットペーパ２の外周面との間に隙間ｇが生じることになる。しかし、このトイレットペーパホルダ１Ａでは、繰り出しローラ６が長孔４７ａに沿って上下方向へ移動可能となっているから、ローラ軸６３が長孔４７ａ内を下方に移動し、繰り出しローラ６とトイレットペーパ２の外周面との間に隙間が生じることはなく、トイレットペーパ２の外周面に対するローラ６の当接状態を確実に維持することができる。
【００３９】
図７は、旋回カバー４をトイレットペーパ２に向かって旋回させた状態で示す他の一例のトイレットペーパホルダ１Ｂの斜視図である。図８は、側板カバー３２ａを取り外した状態で示す側板部３２の斜視図であり、図９は、嵌合凸部３４の拡大斜視図である。図１０は、旋回カバー４の部分破断斜視図であり、図１１，１２は、側板カバー３２ａの一部を破断して示すトイレットペーパホルダ１Ｂの側面図である。図７では、上下方向を矢印Ｄ１、前後方向を矢印Ｄ２で示し、横方向を矢印Ｄ３で示す。図１１では、旋回カバー４を閉じた状態で示し、図１２では、旋回カバー４を開いた状態で示す。このトイレットペーパホルダ１Ｂが図１のそれと異なるのは、嵌合凸部３４を横方向内方へ付勢するコイルバネ８がそれら側板部３３，３２に装着されている点と、付勢機構５が一方の側板部３３の側に形成されているのみならず、他方の側板部３２の側にも形成されている点と、繰り出しローラに突起６５ではなく横方向へ延びる突条６６が形成されている点とにある。なお、このトイレットペーパホルダ１Ｂのその他の構成は図１のトイレットペーパホルダ１Ａと同一であるから、図１のそれと同一の符号を付すことで、このトイレットペーパホルダ１Ｂのその他の構成の説明は省略する。
【００４０】
このトイレットペーパホルダ１Ｂは、図１のそれと同様に、ロール状のトイレットペーパ２を回転可能に支持するホルダ本体３と、トイレットペーパ２の中心軸Ｎ（図３参照）の軸方向（横方向）に対して直交する方向（前後方向）へ延びる旋回カバー４と、旋回カバー４をトイレットペーパ２の外周面に押し付ける方向へバネ付勢する付勢機構５と、トイレットペーパ２を回転させてトイレットペーパ２の先端を繰り出す繰り出しローラ６（繰り出し機構）と、付勢機構５による付勢力を調節する付勢力調節機構７とから形成されている。
【００４１】
嵌合凸部３４は、図８，９に示すように、側板部３２に形成された開口３２１に着脱可能に装着されてトイレットペーパ２の巻き芯２１（図３参照）の両端開口部に嵌合する嵌合部分３４１と、側板部３２に形成された支持部３２２に着脱可能に支持された旋回部分３４２とから形成されている。なお、側板部３３に位置する嵌合凸部３４は、側板部３２のそれと同一であるから、図８，９を援用し、その説明は省略する。嵌合部分３４１には、ホルダ本体３の下方から上方へ向かって傾斜する斜面３４３が形成されている。嵌合部分３４１は、ホルダ本体３の下方から上方へ向かってその厚み寸法が次第に厚くなっている。嵌合凸部３４は、その周縁部分３４４が開口３２１を囲繞する側板部３２の内面に当接している。ゆえに、嵌合凸部３４の開口３２１からの抜脱が防止される。嵌合凸部３４の側板カバー３２ａに対する対向面と側板カバー３２ａの内面との間には、横方向へ延びるコイルバネ８が配置されている。コイルバネ８は、その一端が嵌合凸部３４の対向面に形成された十字状の指示部３４５に指示され、その他端が側板カバー３２ａ，３３ａの内面に形成された円筒状の指示孔３２ｂに指示されている。コイルバネ８は、そのバネ力によってそれら嵌合凸部３４を横方向内方へ付勢している。ゆえに、嵌合部分３４１が開口３２１から側板部３２の内側に突出している。
【００４２】
嵌合凸部３４は、側板部３２，３３の横方向内方と横方向外方とへ進退可能である。ホルダ本体３では、トイレットペーパ２を片手で持ってそのトイレットペーパ２を側板部３２，３３の間に位置させるように、トイレットペーパ２をホルダ本体３の下方から上方へ徐々に移動させる。トイレットペーパ２を上方へ徐々に移動させると、トイレットペーパ２に嵌合部分３４１の斜面が当接しつつ、嵌合凸部３４がコイルバネの付勢に抗して横方向外方へ移動して側板部３２，３３に収納される。そのままトイレットペーパ２をさらに上方へ移動させ、巻き芯２１の両端開口部が嵌合部分３４１の位置に来ると、嵌合凸部３４がコイルバネの付勢力によって横方向内方へ突出し、嵌合部分３４１が巻き芯２１の両端開口部に嵌合する。ゆえに、このトイレットペーパホルダ１Ｂは、ホルダ本体３にトイレットペーパ２を片手でワンタッチ装着することができる。
【００４３】
旋回カバー４は、トイレットペーパ２の上方に位置して前後方向へ直状に延びる板状部材であり、ホルダ本体３に支持されている。旋回カバー４は、ホルダ本体３に回転可能に支持された後端部４２と、後端部４２の反対側に位置する前端部４１と、前後端部４１，４２の間に延びる中間部４３とを有する。前端部４１は、トイレットペーパ２の上部前方円弧面部２３を越え、トイレットペーパ２の中間部前方円弧面部２４との対向位置まで延びている。前端部４１は、トイレットペーパ２の中間部前方円弧面部２４に向けて、下向きに傾斜するように屈曲している。旋回カバー４は、その後端部４２を中心として上下方向へ旋回可能である。旋回カバー４の後端部４２の横方向両側縁には、側板部３２，３３の後部上端部内側面と接するように下方に突出するブラケット４４Ａ，４４Ｂが設けられている。一方のブラケット４４Ａには、回転支持部としての枢支軸４３Ａが突設され、側板部３２に設けられた軸孔に回転自在に支持されている。他方のブラケット４４Ｂにも枢支軸４３Ｂが突設され、この枢支軸４３Ｂが筒体５１１を介して側板部３３に回転自在に支持されている。
【００４４】
また、旋回カバー４の横方向両側縁には、ブラケット４４から前方に向けて直状に延びる補強リブ４６が形成されている。補強リブ４６の突出幅は、ブラケット４４との接続位置でブラケット４４の突出幅の半分程度である。補強リブ４６は、前方に向かって徐々に突出幅が小さくなるように傾斜している。旋回カバー４の前端部４１のトイレットペーパ２と対向する内面側には、トイレットペーパ２に摺動可能に接触する低摩擦抵抗の複数の凸部４１３が形成されている。それら凸部４１３は、その下面が円弧状に形成されている。それら凸部４１３は、旋回カバー４の前端部４１の全長にわたって形成され、横方向へ等間隔で並んでいる。凸部４１３は、トイレットペーパ２の中間部前方円弧面部２４に部分的に接触している。旋回カバー４の前端部４１のトイレットペーパ２と対向する内面側には、凸部４１２の前縁に隣接してトイレットペーパ２を切断する切断刃４１１が取り付けられている。旋回カバー４の後端部４２の回転中心の位置は、未使用で巻径が最大状態のトイレットペーパ２の頂部２２よりも若干下に位置している。このトイレットペーパホルダ１Ｂでは、旋回カバー４の前端部４１において凸部４１３のみがトイレットペーパ２の外周面に部分的に当接し、凸部４１３を除く前端部４１の残余の部位がトイレットペーパ２の外周面から離間する。このトイレットペーパホルダ１Ｂでは、旋回カバー４とトイレットペーパ２との接触部分が図１のトイレットペーパホルダ１Ａよりも一層小さくなり、トイレットペーパ２の衛生状態を確実に保持することができる。
【００４５】
ブラケット４４Ａには回転支持部としての枢支軸４３Ａが突設され、この枢支軸４３Ａが筒体５１１を介して側板部３２に回転自在に支持されている。付勢機構５は、一方の側板部３３の側と他方の側板部３２の側とに形成されている。なお、一方の側板部３３の側に形成された付勢機構５は、側板部３２の側に形成されたそれと同一であるから、図１１，１２を援用することで、その説明は省略する。側板部３２の側に形成された付勢機構５は、旋回カバー４の枢支軸４３Ａに連結されるレバー５１と、レバー５１を回転させる方向に付勢するバネ部材５２とから形成されている。なお、側板部３２には、付勢機構５を隠す側板カバー３２ａが取り付けられる。レバー５１は、枢支軸４３Ａに嵌合された筒体５１１を介してカバー４のブラケットに連結されている。すなわち、筒体５１１の一端がブラケット４４Ａに設けられた非円形の凹部４４Ａ１に回転方向に固定状態で嵌合し（図５参照）、筒体５１１の他端にレバー５１が結合されている。レバー５１は、図１１に示すように、カバー４が閉じた状態で、後方に斜め下向きとなるように延びており、カバー４が開いた状態で、前後方向へ略直状になって延びる。レバー５１は、カバー４を上方に開くと前方に回転し、カバー４を閉じると後方に回転するようになっている。バネ部材５２は、ねじりコイルスプリングであり、螺旋状に巻いた円形のコイル部５２３と、コイル部５２３の両端から所定角度で直状に延びる第１腕部５２１および第２腕部５２２とを備えた形状である。バネ部材５２は、第１腕部５２１の端部がレバー５１の自由端部に係止され、第２腕部５２２の先端が側壁部３３に設けられたバネ受け部５３に係止している。
【００４６】
バネ受け部５３は、側板部３２の中央部上方に形成され、レバー５１の回動範囲の中間に位置している。この付勢機構５では、回転中心である枢支軸４３Ａとバネ受け部５３とを結ぶ中立線Ｍ上を通る地点が思案点となり、思案点を越えるまではカバー４を閉じる方向に付勢力Ｆｃが作用し、思案点を超えると、図１２に示すように、カバー４を開く方向に付勢力Ｆｏが作用する。
【００４７】
バネ部材５２の第１腕部５２１が係止されるレバー５１の自由端部には、第１腕部５２１の端部が係止される一つの係止部７ｏが形成されている。一方、バネ部材５２の第２腕部５２２が係止するバネ受け部５３には、付勢力調節機構７を構成する複数の係止部、図示例では３箇所の係止部７ｌ，７ｍ，７ｎが形成されている。係止部７ｌ〜７ｎは、枢支軸４３の中心を通る中立線Ｍ上に、所定間隔をあけて直状かつ１列に配置されている。係止部７ｌ〜７ｎは、バネ部材５２の第１腕部５２１と第２腕部５２２との間の間隔を段階的に調節可能である。なお、図１のトイレットペーパホルダ１Ａと同様に、係止部７ｌ〜７ｎや係止部７ｏが穴構成となっているが、穴に限らず、バネ部材５２の端部を係止可能な構成であれば、溝でもよいし、その他種々の構成を採用することができる。また、係止部７ｌ〜７ｎの個数に特に限定はなく、少なくとも２つ以上の係止部が形成されていればよい。
【００４８】
付勢力調節機構７では、バネ部材５２の第２腕部５２２の係止位置を変更することにより、バネ部材５２のねじり変形量が変化し、レバー５１に作用するバネ力（反発力）が調節される。枢支軸４３Ｂに最も近い位置の係止部７ｌに係止した場合にバネ力が最大となり、係止部７ｌから遠くなるに連れて徐々に付勢力が小さくなる。バネ部材５２のバネ力によって旋回カバー４の前端部４１に作用する付勢力が異なる。付勢力は、旋回カバー４の前端部４１に作用する押圧力であり、図１のトイレットペーパホルダ１Ａと同様に、１７５ｇｆを中心に、５０〜４００ｇｆ程度の大きさに設定することが好適である。このトイレットペーパホルダ１Ｂでは、バネ受け部５３に３つの係止部７ｌ〜７ｎを設けているが、レバー５１の側に複数の係止部を設けてバネ力を調節するようにしてもよく、レバー５１とバネ受け部５３との両方に複数の係止部を設けてバネ力を調節するようにしてもよい。
【００４９】
繰り出しローラ６は、旋回カバー４の中間部４３の前方の位置に取り付けられている。繰り出しローラ６は、旋回カバー４に回転可能に支持され、トイレットペーパ２の軸方向（横方向）へ延びている。繰り出しローラ６は、その周面がトイレットペーパ２の外周面に当接している。このトイレットペーパホルダ１では、繰り出しローラ６を図７に示す矢印Ｌ１方向へ回転させることによってトイレットペーパ２が回転し、トイレットペーパ２の先端を繰り出すことができる。繰り出しローラ６は、円筒形状のプラスチックから作られ、その外周面全域に環状のゴムが着脱可能に嵌め込まれている。ゴムには、摩擦力を増大させるための横方向へ延びる複数の突条６６が形成されている。突条６６は、その断面形状が三角形に作られている。繰り出しローラ６の横方向両端には、ローラ軸６３が突出している。ローラ軸６３は、旋回カバー４の上面に突設されたブラケット４７に回転可能に支持されている。繰り出しローラ６は、旋回カバー４に設けられた開口部４５を通して上側部分６１がカバー４の上面側に露出し、下側部分６２がカバー４の下面側に露出し、下側部分６２（突条６６）がトイレットペーパ２の外周面に摩擦接触する構成となっている。
【００５０】
ブラケット４７は、旋回カバー４の開口部４５の横方向両側に半円状に突出形成されている。ブラケット４７の開口部４５に面する側面には、トイレットペーパ２に当接かつ離間する方向、図示の例では上下方向に延びる長孔４７ａが形成されている。長孔４７ａには、繰り出しローラ６のローラ軸６１が回転可能かつ上下方向（トイレットペーパ２から離間する方向およびトイレットペーパ２に当接する方向）へ所定距離移動可能に係合している。ゆえに、繰り出しローラ６は、トイレットペーパ２から離間する方向とトイレットペーパ２に当接する方向とへ長孔４７ａの長さだけ移動することができる。なお、トイレットペーパホルダ１Ａと異なり、長孔４７ａの下端に止め板４８は取り付けられていない。繰り出しローラ６は、長孔４７ａの下端から上方へ圧入することによって、長孔４７ａに入れることができる。また、長孔４７ａの下端から下方へ押圧することによって、長孔４７ａから取り外すことができる。このトイレットペーパホルダ１Ｂの使用方法は図１のトイレットペーパホルダ１Ａのそれと同一であるから、図５，６を援用し、その説明は省略する。
【００５１】
このトイレットペーパホルダ１Ｂは、図１のトイレットペーパホルダ１Ａが有する効果に加え、以下の効果を有する。このトイレットペーパホルダ１Ｂは、付勢機構５が側板部３３の側と側板部３２の側とに形成されているから、旋回カバー４の両側にバネ部材５２の付勢力が作用する。ゆえに、旋回カバー４の前端部４１をトイレットペーパ２の外周面に向かって付勢する力がカバー４の全体に均一に作用し、付勢力の偏りが防止され、カバー４の前端部４１の全域を均一の付勢力でトイレットペーパ２の外周面に押し当てることができ、トイレットペーパ２の繰り出し中におけるカバー４の不用意なばたつきを確実に防ぐことができる。このトイレットペーパホルダ１Ｂは、旋回カバー４の前端部４１がバネ部材５２の付勢力によってトイレットペーパ２の外周面に向かって付勢されているから、カバー４によってトイレットペーパ２が押さえられた状態で回転する。したがって、旋回カバー４に支持された繰り出しローラ６についても、スムースに回転させることができ、トイレットペーパ２の繰り出し操作をスムースに行うことができる。このトイレットペーパホルダ１Ｂでは、トイレットペーパ２の種類に応じてバネ部材５２の付勢力を調節することができるから、シングルロールのような薄手のトイレットペーパ２の場合、繰り出しローラ６がトイレットペーパ２を弱い力で押圧するようにバネ部材５２の付勢力を弱める。それによって、繰り出し中のトイレットペーパ２にしわが生じることはなく、繰り出し中のトイレットペーパ２の不用意な破損を防ぐことができる。また、厚めのトイレットペーパ２や剛性が大きいトイレットペーパ２の場合には、繰り出しローラ６がトイレットペーパ２を強い力で押圧するようにバネ部材５２の付勢力を強める。それによって、繰り出しローラ６の空回りを防ぐことができ、トイレットペーパ２を片手でスムースに繰り出すことができる。
【００５２】
なお、それら図示のトイレットペーパホルダ１Ａ，１Ｂでは、繰り出し機構として回転する繰り出しローラ６を用いた例について説明したが、たとえば、特許文献１に開示された機構のように前後に往復移動させてトイレットペーパ２を回転させる構成でもよいし、その他、種々の繰り出し手段を適用することができる。また、このトイレットペーパホルダ１Ａ，１Ｂでは、付勢機構５のバネ部材６としてねじりコイルスプリングを用いたが、ねじりコイルスプリングに限定されるものではなく、コイルスプリングや板バネを用いてもよく、ぜんまいやトーションバーを用いてもよい。すなわち、旋回カバー４の前端部４１をトイレットペーパ２の外周面に向かって付勢できる構成であれば、バネ部材６に特に限定はなく、バネ部材６として種々のものを使用することができる。さらに、旋回カバー４を回転支持する機構についても、枢支軸を用いる構成ではなく、各種ヒンジ構造を用いることが可能であり、付勢機構５についてもカバー４自体にバネ部材を係合させてカバー４に付勢力を作用させる構成としてもよい。ホルダ本体３や旋回カバー４、切断刃４１１、凸部４１２は、プラスチックや金属から作ることができる。凸部４１２は、円弧状の表面が鏡面研磨されており、滑りがよく、摩擦抵抗が小さい。繰り出しローラ６は、弾性変形可能なゴムから作られていることが好ましいが、プラスチックのみから作られていてもよい。トイレットペーパホルダ１Ｂでは、側板部３３の側に形成された付勢機構５と同様のそれが側板部３２の側に形成されていてもよい。
【図面の簡単な説明】
【００５３】
【図１】旋回カバーをトイレットペーパに向かって旋回させた状態で示すトイレットペーパホルダの斜視図。
【図２】旋回カバーを上方へ旋回させた状態で示すトイレットペーパホルダの斜視図。
【図３】側板カバーの一部を破断して示すトイレットペーパホルダの側面図。
【図４】側板カバーの一部を破断して示すトイレットペーパホルダの側面図。
【図５】図１のトイレットペーパホルダの旋回カバーを取り出して示した側面図。
【図６】巻き径が小さくなった場合の旋回カバーの凸部と繰り出しローラとの位置関係を示す説明図。
【図７】旋回カバーをトイレットペーパに向かって旋回させた状態で示す他の一例のトイレットペーパホルダの斜視図。
【図８】側板カバーを取り外した状態で示す側板部の斜視図。
【図９】嵌合凸部の拡大斜視図。
【図１０】旋回カバーの部分破断斜視図。
【図１１】側板カバーの一部を破断して示すトイレットペーパホルダの側面図。
【図１２】側板カバーの一部を破断して示すトイレットペーパホルダの側面図。
【符号の説明】
【００５４】
１Ａ    トイレットペーパホルダ
１Ｂ    トイレットペーパホルダ
２    トイレットペーパ
３    ホルダ本体
３１    連結板部
３２，３３    側板部
４    カバー
４１    前端部
４１１    切断刃
４１２    凸部
４１３    凸部
４２    後端部
４３Ａ，４３Ｂ    枢支軸
４４Ａ，４４Ｂ    ブラケット
４５    開口部
４６    リブ
４７    ブラケット
４７ａ    長孔
４８    止め板
５    付勢機構
５１    レバー
５１１    筒体
５２    バネ部材
５２１    第１腕部
５２２    第２腕部
５２３    コイル部
５３    バネ受け部
６    繰り出しローラ
６１    上側部分
６２    下側部分
６３    ローラ軸
６５    突起
６６    突条
７    付勢力調節機構
７ａ〜７ｅ，７ｚ    係止部
７ｌ〜７ｎ，７ｏ    係止部
８    コイルバネ
【図１】
2008253742.tif 000003
【図２】
2008253742.tif 000004
【図３】
2008253742.tif 000005
【図４】
2008253742.tif 000006
【図５】
2008253742.tif 000007
【図６】
2008253742.tif 000008
【図７】
2008253742.tif 000009
【図８】
2008253742.tif 000010
【図９】
2008253742.tif 000011
【図１０】
2008253742.tif 000012
【図１１】
2008253742.tif 000013
【図１２】
2008253742.tif 000014